(57)【要約】      （修正有）【課題】ニス等を収納する粘性体収納容器において、刷毛に含まれた粘性体を収納容器からこぼすことなく塗布する量を調節することができる粘性体収納容器を提供する。【解決手段】粘性体を収納する筒状の収納部と、上記収納部の上端部に着脱可能に固定されたキャップ部と、上記キャップ部が上記収納部に固定された場合には上記収納部内に上下方向に配置される軸部と、上記軸部先端に設けられた刷毛部とを備え、上記収納部の底面部には上記刷毛部が配置されうる凹部が形成されている粘性体収納容器において、上記収納部の周面部には、収納部内方へ突出する突部が設けられている。【選択図】図１
0003151192.tif 000002
【実用新案登録請求の範囲】
【請求項１】
粘性体を収納する筒状の収納部と、上記収納部の上端部に着脱可能に固定されたキャップ部と、上記キャップ部に固定され、キャップ部が上記収納部に固定された場合には上記収納部内に上下方向に配置される軸部と、上記軸部先端に設けられた刷毛部とを備え、上記収納部の底面部には上記刷毛部が配置されうる凹部が形成されている粘性体収納容器において、
上記収納部の周面部には、収納部内方へ突出する突部が設けられていることを特徴とする粘性体収納容器。
【請求項２】
上記突部は互いに対向して一対に設けられていることを特徴とする請求項１記載の粘性体収納容器。
【請求項３】
上記突部は、上記収納部の周面部が内方へ窪んで形成されていることを特徴とする請求項２記載の粘性体収納容器。
【考案の詳細な説明】
【技術分野】
【０００１】
本考案粘性体容器に係り、特に、ニス等の刷毛により塗布する粘性体を収納する粘性体容器の改良に関する。
【背景技術】
【０００２】
従来、粘性体を収納する筒状の収納部２０と、上記収納部２０の上端部に着脱可能に固定されたキャップ部２１と、上記キャップ部２１が上記収納部２０に固定された場合には上記収納部２０内に上下方向に配置される軸部２２と、上記軸部２２の先端に設けられた刷毛部２３とを備え、上記収納部２０の底面部２４には上記刷毛部２３が配置されうる凹部２５が形成されている粘性体収納容器２６が開示されている（特許文献１）。
【０００３】
このような粘性体収納容器２６にあっては例えば、収納されたニスを刷毛本
体部２３に含ませて収納部２０から出して塗布する場合には、刷毛部２３に含ませたニスの量を調整することが必要であり、従来は上記収納部２０の口部２７において刷毛部２３を口部２７にこすりつけるようにしてニスを落として刷毛部２３に含ませたニスの量を調整していた。
【先行技術文献】
【特許文献】
【０００４】
【特許文献１】実用新案登録第３０３１８４４号
【考案の概要】
【考案が解決しようとする課題】
【０００５】
しかしながら、このような従来の粘性体収納容器にあっては、上記収納部２０の口部２７において、ニスを含んだ刷毛部２３をこすりつけてニスを落としていたことから、ニスが口部２７からこぼれることもあり、ニスの塗布作業を煩雑なものとしていた。
そこで本考案の課題は、ニス等を収納する粘性体収納容器において、刷毛に含まれた粘性体を収納容器からこぼすことなく刷毛に付着した粘性体の量を調節することができる粘性体収納容器を提供することにある。
【課題を解決するための手段】
【０００６】
上記課題を解決するために、請求項１の考案にあっては、粘性体を収納する筒状の収納部と、上記収納部の上端部に着脱可能に固定されたキャップ部と、上記キャップ部が上記収納部に固定された場合には上記収納部内に上下方向に配置される軸部と、上記軸部先端に設けられた刷毛部とを備え、上記収納部の底面部には上記刷毛部が配置されうる凹部が形成されている粘性体収納容器において、上記収納部の周面部には、収納部内方へ突出する突部が設けられていることを特徴とする。
【０００７】
従って、請求項１記載の粘性体収納容器にあっては、上記刷毛部に含ませた粘性体を塗布する際に、粘性体の量を調節しようとする場合には、上記突部に刷毛部をこすり付けるようにし、上記突部により刷毛部に付着した余分な粘性体を落とすことができる。
【０００８】
請求項２記載の考案にあっては、上記突部は互いに対向して一対に設けられていることを特徴とする。
従って、請求項２記載の考案にあっては、筒状の収納部の互いに対向する部位に突部が一対に設けられていることから、刷毛部によりいずれの部位においても刷毛部をこすり付けることにより刷毛部に付着した粘性体の量の調整をすることができる。
【０００９】
請求項３記載の考案にあっては、上記突部は、上記収納部の周面部が内方へ窪んで形成されていることを特徴とする。従って、請求項３記載の考案にあっては、上記突部は上記収納部と一体に形成されている。
【考案の効果】
【００１０】
請求項１記載の考案にあっては、請求項１記載の粘性体収納容器にあっては、上記刷毛部に含ませた粘性体を塗布使用とする際に、粘性体の量を調節しようとする場合には、上記突部に刷毛部をこすり付けるようにして突部により、刷毛部に付着した余分な粘性体を落とすことができることから、従来のように、塗布時に、刷毛部に含まれた粘性体の量を調節する際に粘性体を容器外にこぼしてしまう、という事態を防止することができる。その結果、粘性体の塗布作業を容易かつ快適に行うことができる。
【００１１】
請求項２記載の考案にあっては、筒状の収納部の互いに対向する部位に突部が一対に設けられていることから、刷毛部によりいずれの部位においても刷毛部をこすり付けることにより粘性体の量の調整をすることができることから、使用時の方向性に限定されることがなく、塗布時に使いやすい粘性体収納容器を提供することができる。
【００１２】
請求項３記載の考案にあっては、上記突部は上記収納部と一体に形成されていることから、収納部を作成する場合に上記突部を一体成型により作成することができ、製作効率の良好な粘性体収納容器を提供することができる。
【図面の簡単な説明】
【００１３】
【図１】本考案に係る粘性体収納容器の一実施の形態を示す側面図である。
【図２】本考案に係る粘性体収納容器の一実施の形態を示す他の側面図である。
【図３】従来の粘性体収納容器を示す側面図である。
【考案を実施するための形態】
【００１４】
以下、添付図面に示す実施の形態に基づき本考案に係る粘性体収納容器を詳細に説明する。
【００１５】
本実施の形態に係る粘性体収納容器１０は、ニスを収納する筒状の収納部１１と、上記収納部１１の上端部に着脱可能に固定されたキャップ部１２と、上記キャップ部１２に固定され、上記キャップ部１２が上記収納部１１に固定された場合には上記収納部１１内に上下方向に配置される軸部１３と、上記軸部１３先端に設けられた刷毛部１４とを備えている。
【００１６】
そして、上記収納部１１の底面部１５には上記刷毛部１４が配置されうる凹部１６が形成されており、上記収納部１１の周面部１６には、収納部１１内方へ突出する一対の突部１７，１７が設けられている。上記一対の突部１７，１７は、上記収納部１１の周面部１６が内方へ窪んで一体に形成されている。
従って、上記突部１７，１７の部位には、周面部１６の表面側においては周面部１６の一般面から凹んだ凹部１８，１８が形成されている。
【００１７】
従って、本実施の形態に係る粘性体収納容器１０にあっては、必要時に、上記キャップ部１２を外して、ニスが含まれている刷毛部１４により対象物にニスを塗布する場合に、刷毛部１４に含まれているニスの量を調整しようとした場合には、刷毛部１４を一対に設けられた突部１７，１７のいずれかにこすりつけて、刷毛部１４に付着したニスを収納部１１内部において落とすことができる。
【００１８】
その結果、従来のように、口部に刷毛部をこすりつけた際に、ニスが収納部１１外方へこぼれてしまうという事態を有効に防止することができる。
なお、本実施の形態にあっては、上記突部１７，１７が互いに対向して一対に設けられている場合を例に説明したが、上記実施の形態に限定されず、例えば、収納部１１の内方において全周に亘って設けられていてもよい。
【産業上の利用可能性】
【００１９】
本考案は、ニス等の粘性体収納容器に広く適用することができる。
【符号の説明】
【００２０】
１０  粘性体収納容器
１１  収納部
１２  キャップ部
１３  軸部
１４  刷毛部
１５  底面部
１６  突部
１７  突部
１８  凹部
２０  収納部
２１  キャップ部
２２  軸部
２３  刷毛部
２４  底面部
２５  凹部
２６  粘性体収納容器
２７  口部
【図１】
0003151192.tif 000003
【図２】
0003151192.tif 000004
【図３】
0003151192.tif 000005